(57)【要約】【課題】分解することにより大きさを小さくすることができると共に、簡単に組み立てることができ、かつ、ごみを容易に捨てることができるネット式ごみ籠を提供する。【解決手段】ネット式ごみ籠１０は、枠体１１と、この枠体１１に着脱可能に取り付けられるネット部材１２と、このネット部材１２を吊り上げるための吊り紐１３とを備えている。枠体１１は、結合及び分離が可能な棒状部材１１Ａと結合部材１１Ｂとを組み合わせることにより構成されている。ネット部材１２は、糸を編むことにより形成されており、平面状に広げることができるようになっている。【選択図】図１
0003183765.tif 000002
【実用新案登録請求の範囲】
【請求項１】
枠体と、この枠体に着脱可能に取り付けられ、糸を編むことにより形成されたネット部材と、このネット部材を吊り上げるための吊り紐とを備え、
前記枠体は、１２本の棒状部材と、この棒状部材の端部を結合して直方体状に組み立てる８個の結合部材とを有し、これら棒状部材及び結合部材は、結合及び分離が可能であり、
前記ネット部材は、平面状に広げることが可能であり、前記枠体の底部に対応する底面部と、この底面部に連続して設けられ、前記枠体の４つの側部に対応する４つの側面部と、この側面部の隣接する側辺の間に連続して設けられた４つのまち部とを有する
ことを特徴とするネット式ごみ籠。
【請求項２】
前記吊り紐は、一部が前記ネット部材に編み込まれ、前記ネット部材を広げた時に前記側面部のうち同一直線上に位置する２つの側辺を通り、その側辺から両端部がそれぞれ引き出されていることを特徴とする請求項１記載のネット式ごみ籠。
【請求項３】
前記吊り紐は、前記ネット部材から引き出されている端部のうち、前記ネット部材を広げた状態で前記底面部の中心位置を通る直線により２つに分けた片側から引き出されているものに、片側の目印が付されていることを特徴とする請求項２記載のネット式ごみ籠。
【考案の詳細な説明】
【技術分野】
【０００１】
本考案は、産業廃棄物等を収容し搬送するためのネット式ごみ籠に関する。
【背景技術】
【０００２】
産業廃棄物の処理においては、例えば、コンテナ等の大形箱状容器を工場等の敷地内に据え置き、投入した産業廃棄物が満杯になると容器ごと産業廃棄物処理場に運搬し、内容物を処分するのが通例である。この容器は、例えば、産業廃棄物の投入時やその後の使用時あるいは処分場への運搬時において破損し難いように、金属製で頑丈な構造とされている。また、容器の耐蝕性を高めて寿命の向上を図るために、ステンレス綱板等が使用されることが多い。そのため、重量が重くなり日常の使用や産業廃棄物の処理場への搬送等が扱い難くなる上に、値段が高くなるという問題点があった。また、大きさいが大きいので、広い保管場所が必要になるという問題もあった。更に、複数種の産業廃棄物が分別しないで容器に入れられている場合には、産業廃棄物処理場において分別しなければならず、容器から取り出して分別するのは大変であるという問題もあった。
【先行技術文献】
【特許文献】
【０００３】
【特許文献１】特開２００５−３２００６２号公報
【考案の概要】
【考案が解決しようとする課題】
【０００４】
本考案は、このような問題に基づきなされたものであり、分解することにより大きさを小さくすることができると共に、簡単に組み立てることができ、かつ、ごみを容易に捨てることができるネット式ごみ籠を提供することを目的とする。
【０００５】
なお、特許文献１には、産業廃棄物を搬送するコンテナであって、５枚の板を接続板及び接続金具を用いて組み立て可能としたものが記載されている。しかし、５枚の板を組み立てたものであり、本願発明とは、構成が異なっている。
【課題を解決するための手段】
【０００６】
本考案のネット式ごみ籠は、枠体と、この枠体に着脱可能に取り付けられ、糸を編むことにより形成されたネット部材と、このネット部材を吊り上げるための吊り紐とを備え、枠体は、１２本の棒状部材と、この棒状部材の端部を結合して直方体状に組み立てる８個の結合部材とを有し、これら棒状部材及び結合部材は、結合及び分離が可能であり、ネット部材は、平面状に広げることが可能であり、枠体の底部に対応する底面部と、この底面部に連続して設けられ、枠体の４つの側部に対応する４つの側面部と、この側面部の隣接する側辺の間に連続して設けられた４つのまち部とを有するものである。
【考案の効果】
【０００７】
本考案のネット式ごみ籠によれば、枠体と、この枠体に着脱可能に取り付けられるネット部材とを備えるようにしたので、軽量化を図ることができると共に、安価で取り扱いを容易とすることができる。また、ネット部材を吊り上げるための吊り紐を備えるようにしたので、産業廃棄物等を収容したネット部材を吊り紐で吊り下げることにより、産業廃棄物等を容易に捨てることができる。更に、枠体は、棒状部材と、この棒状部材の端部を結合して直方体状に組み立てる結合部材とを有し、それらは結合及び分離が可能とするようにしたので、使用時に組み立て、保管時に分解することができる。よって、保管場所を小さくすることができる。加えて、ネット部材は、底面部と側面部とまち部とを有し、平面状に広げることができるようにしたので、産業廃棄物等を収容したネット部材を吊り上げて枠体から取り外し、ネット部材を広げることにより、容易に産業廃棄物等の分別をすることができる。
【０００８】
また、吊り紐の一部をネット部材に編み込み、ネット部材を広げた時に側面部のうち同一直線上に位置する２つの側辺を通り、その側辺から吊り紐の両端部を引き出すようにすれば、強度を向上させることができる。
【０００９】
更に、ネット部材から引き出されている吊り紐の端部のうち、ネット部材を広げた状態で底面部の中心位置を通る直線により２つに分けた片側から引き出されているものに、片側の目印を付すようにすれば、ネット部材を吊り紐により吊り上げたのち、吊り紐の端部のうち片側の目印を付した方、又は、片側の目印のない方を放すことにより、ネット部材を広げて産業廃棄物等を容易に捨てることができる。
【図面の簡単な説明】
【００１０】
【図１】本考案の一実施の形態に係るネット式ごみ籠の構成を表す図である。
【図２】図１に示したネット式ごみ籠の枠体を取り出して表す図である。
【図３】図１に示したネット式ごみ籠のネット部材及び吊り紐の構成を表す図である。
【考案を実施するための形態】
【００１１】
以下、本考案の実施の形態について、図面を参照して詳細に説明する。
【００１２】
図１は、本考案の一の実施の形態に係るネット式ごみ籠１０の構成を表すものである。このネット式ごみ籠１０は、例えば、産業廃棄物等の収容及び搬送に用いるものであり、枠体１１と、この枠体１１に着脱可能に取り付けられるネット部材１２と、このネット部材１２を吊り上げるための吊り紐１３とを備えている。
【００１３】
図２は枠体１１の構成を表すものである。枠体１１は、１２本の棒状部材１１Ａと、この棒状部材１１Ａの端部を結合して直方体状に組み立てる８個の結合部材１１Ｂとを有している。棒状部材１１Ａは、例えば、単管パイプにより構成されている。結合部材１１Ｂは、３本の棒状部材１１Ａを互いに直角に結合するものであり、例えば、Ｙ字型ソケットにより構成されている。棒状部材１１Ａと結合部材１１Ｂとは、結合及び分離が可能であり、例えば、それらはねじにより固定される。これにより、枠体１１は、簡単に組み立てし、又は、分解することができるようになっている。また、枠体１１の上部側には、ネット部材１２を引掛けて保持するための複数の突起部１１Ｃが設けられていることが好ましい。突起部１１Ｃは、例えば、釘を棒状部材１１Ａに対して配設することにより構成されている。
【００１４】
図３はネット部材１２及び吊り紐１３の構成を表すものであり、ネット部材１２を枠体１１から取り外して平面状に広げた状態を表している。ネット部材１２は、糸を編むことにより形成されており、高い柔軟性を有している。これにより、ネット部材１２は、例えば、大きく広げたり、小さく折り畳んだりすることができるようになっている。また、ネット部材１２は、平面状に広げることが可能であり、枠体１１の底部に対応する底面部１２Ａと、この底面部１２Ａに連続して設けられ、枠体１１の４つの側部に対応する４つの側面部１２Ｂと、この側面部１２Ｂの隣接する側辺１２Ｃの間に連続して設けられた４つのまち部１２Ｄとを有している。
【００１５】
底面部１２Ａ及び側面部１２Ｂは、例えば、それぞれ矩形状であり、十字状に配置されている。側面部１２Ｂの隣接する側辺１２Ｃというのは、底面部１２Ａの角に対して対頂角を構成する側面部１２Ｂの２つの辺であり、より具体的には、底面部１２Ａの角を構成する２つの辺に連続して設けられた２つの側面部１２Ｂにおいて、それらの側面部１２Ｂが接する側の各辺である。まち部１２Ｄは、例えば、三角形状であり、隣接する側辺１２Ｃの外側の角を結ぶように形成されていることが好ましい。すなわち、底面部１２Ａ、側面部１２Ｂ及びまち部１２Ｄにより、例えば、八角形を構成することが好ましい。平面状に広げて作業することができ、また、容易に折り畳むこともでき、更に、産業廃棄物等を効率よく包んで収容することができるからである。
【００１６】
ネット部材１２は、また、側面部１２Ｂの外側に連続して設けられた少なくとも１つの上面部１２Ｅを有していることが好ましい。収容した産業廃棄物等の上を覆うことができるからである。なお、図３では、対向する側面部１２Ｂの外側に上面部１２Ｅをそれぞれ連続して設ける場合について示したが、いずれか１つあるいは３つ、又は、全ての側面部１２Ｂの外側に設けるようにしてもよい。また、図３では、側面部１２Ｂの外側の辺の全体にわたり上面部１２Ｅを設ける場合について示したが、辺の一部に設けるようにしてもよい。ネット部材１２には、更に、底面部１２Ａの角に底部の目印１２Ｆが付されていることが好ましい。底部の目印１２Ｆを枠体１１の底部に合わせることにより、容易にネット部材１２を枠体１１に取り付けることができるからである。
【００１７】
吊り紐１３は、例えば、ネット部材１２を構成する糸よりも太い紐により構成することが好ましく、一部がネット部材１２に編み込まれていることが好ましい。強度を向上させることができるからである。具体的には、例えば、吊り紐１３の一部がネット部材１２を広げた時に側面部１２Ｂのうち同一直線上に位置する２つの側辺１２Ｃを通り、その側辺１２Ｃから吊り紐１３の両端部がそれぞれ引き出されていることが好ましい。吊り紐１３のネット部材１２から引き出されている端部のうち、ネット部材１２を広げた状態で底面部１２Ａの中心位置を通る直線Ｉにより２つに分けた片側から引き出されているものには、例えば、片側の目印１３Ａが付されていることが好ましい。産業廃棄物等を収容したネット部材１２を吊り紐１３により吊り上げたのち、吊り紐１３の端部のうち片側の目印１３Ａを付した方、又は、片側の目印１３Ａのない方を放すことにより、ネット部材１２を広げて産業廃棄物等を容易に捨てることができるからである。
【００１８】
吊り紐１３の他にも、ネット部材１２には、例えば、強度を向上させるための紐状の補強部材１４が編み込まれていていることが好ましい。補強部材１４は、例えば、底面部１２Ａを通るように１本又は複数本編み込まれることが好ましく、交差する方向に少なくとも１本ずつ編み込まれていればより好ましい。
【００１９】
このネット式ごみ籠１０は、例えば、使用する際に、棒状部材１１Ａと結合部材１２Ｂとを結合して枠体１１を組み立て、ネット部材１２を取り付ける。その際、例えば、ネット部材１２の底部の目印１２Ｆを枠体１１の底部に合わせ、側面部１２Ｂの縁側を枠体１１の突起部１１Ｃに引掛ける。そののち、ネット部材１２の中に産業廃棄物等を収容し、搬送する。
【００２０】
収容した産業廃棄物等を捨てる際には、例えば、吊り紐１３の両端部をクレーンなどにより吊り上げて、産業廃棄物等を収容したネット部材１２を枠体１１から離して上に持ち上げ、吊り紐１３の端部のうち、片側の目印１３Ａが付された方、又は、付されていない方のどちらかを放す。これにより、ネット部材１２が広がり、産業廃棄物等が捨てられる。産業廃棄物等を捨てたのちは、例えば、ネット部材１２は折り畳み、枠体１１は分解する。
【００２１】
また、収容した産業廃棄物等を分別する際には、例えば、吊り紐１３の両端部をクレーンなどにより吊り上げて、産業廃棄物等を収容したネット部材１２を枠体１１から離して地面の上などに下す。そののち、ネット部材１２を平面状に広げて分別作業を行う。
【００２２】
このように本実施の形態によれば、枠体１１と、この枠体１１に着脱可能に取り付けられるネット部材１２とを備えるようにしたので、軽量化を図ることができると共に、安価で取り扱いを容易とすることができる。また、ネット部材１２を吊り上げるための吊り紐１３を備えるようにしたので、産業廃棄物等を収容したネット部材１２を吊り紐１３で吊り下げることにより、産業廃棄物等を容易に捨てることができる。更に、枠体１１は、棒状部材１１Ａと、この棒状部材１１Ａの端部を結合して直方体状に組み立てる結合部材１１Ｂとを有し、それらは結合及び分離が可能とするようにしたので、使用時に組み立て、保管時に分解することができる。よって、保管場所を小さくすることができる。加えて、ネット部材１２は、底面部１２Ａと側面部１２Ｂとまち部１３Ｄとを有し、平面状に広げることができるようにしたので、産業廃棄物等を収容したネット部材１２を吊り上げて枠体１１から取り外し、ネット部材１２を広げることにより、容易に産業廃棄物等の分別をすることができる。
【００２３】
また、吊り紐１３の一部をネット部材１２に編み込み、ネット部材１２を広げた時に側面部１２Ｂのうち同一直線上に位置する２つの側辺１２Ｃを通り、その側辺１２Ｃから吊り紐１３の両端部を引き出すようにすれば、強度を向上させることができる。
【００２４】
更に、ネット部材１２から引き出されている吊り紐１３の端部のうち、ネット部材１２を広げた状態で底面部１２Ａの中心位置を通る直線Ｉにより２つに分けた片側から引き出されているものに、片側の目印１３Ａを付すようにすれば、ネット部材１２を吊り紐１３により吊り上げたのち、吊り紐１３の端部のうち片側の目印１３Ａを付した方、又は、片側の目印１３Ａのない方を放すことにより、ネット部材１２を広げて産業廃棄物等を容易に捨てることができる。
【００２５】
以上、実施の形態及び実施例を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２６】
１０…ネット式ごみ籠、１１…枠体、１１Ａ…棒状部材、１１Ｂ…結合部材、１１Ｃ…突起部、１２…ネット部材、１２Ａ…底面部、１２Ｂ…側面部、１２Ｃ…側辺、１２Ｄ…まち部、１２Ｅ…上面部、１２Ｆ…底部の目印、１３…吊り紐、１３Ａ…片側の目印、１４…補強部材
【図１】
0003183765.tif 000003
【図２】
0003183765.tif 000004
【図３】
0003183765.tif 000005